(57)【要約】【課題】  本発明は、大型化、複雑化させることなく安全性、利便性およびデザイン性に優れたヘッドセット装置の提供を目的とする。【解決手段】  本発明のヘッドセット装置１は、装着者２の耳殻部分に装着されるイヤーパッド部３と、イヤーパッド部３に設けられるスピーカーと、装着者２の頭頂部を覆うように設けられ、イヤーパッド部３に対して回動自在なヘッドバンド部４と、ヘッドバンド部４に一体で取り付けられ、装着者２よりの音声等の外部音声を入力するマイクロホン５と、遠隔にある所定の外部機器との間でアンテナを介してデータ通信を行う無線部と、マイクロホン５或いは無線部よりの受信データをＡ／Ｄ変換或いはＤ／Ａ変換するためのコーデック部と、を備え、マイクロホン５は、ヘッドバンド部４が回動することにより装着者２の少なくとも頭頂部および前顎部に位置することを特徴とする。【選択図】      図２
2005229527.tif 000002
【特許請求の範囲】
【請求項１】
装着者の耳殻部分に装着されるイヤーパッド部と、
そのイヤーパッド部に設けられるスピーカーと、
装着者の頭頂部を覆うように設けられ、前記イヤーパッド部に対して回動自在に取り付けられたヘッドバンド部と、
このヘッドバンド部に一体で取り付けられ、装着者よりの音声等の外部音声を入力するマイクロホンと、
遠隔にある所定の外部機器との間でアンテナを介してデータ通信を行う無線部と、
前記マイクロホン或いは前記無線部よりの受信データをＡ／Ｄ変換或いはＤ／Ａ変換するためのコーデック部と、を備え、
前記マイクロホンは、前記ヘッドバンド部が回動することにより当該装着者の少なくとも頭頂部および前顎部に位置することを特徴とするヘッドセット装置。
【請求項２】
前記マイクロホンは前記ヘッドバンドに対して回動自在に取り付けられ、装着者に対して内向きおよび外向きに位置決めされることを特徴とする請求項１記載のヘッドセット装置。
【請求項３】
前記ヘッドバンドの回動により前記マイクロホンが装着者の前顎部に位置決めされ、かつ前記マイクロホンが装着者に対して内向きに位置したときに、前記マイクロホンからの音声入力を有効にすることを特徴とする請求項２記載のヘッドセット装置。
【請求項４】
前記マイクロホンより入力される音声を自動認識する音声認識部を設け、この音声認識部によって認識されたコードデータを前記無線部およびアンテナを介して所定の外部機器に向けて送信することを特徴とする請求項１記載のヘッドセット装置。
【請求項５】
前記マイクロホンより入力される音声を音声データとしてメモリに録音することを特徴とする請求項１記載のヘッドセット装置。
【請求項６】
録音された音声データを前記スピーカより再生することを特徴とする請求項５記載のヘッドセット装置。
【請求項７】
２０Ｈｚから３５００Ｈｚの範囲の音声の音声データを録音することを特徴とする請求項５記載のヘッドセット装置。
【請求項８】
映像データを表示する表示器を前記ヘッドバンド部に取り付けたことを特徴とする請求項１記載のヘッドセット装置。
【発明の詳細な説明】
【技術分野】
【０００１】
本発明は、マイクロホンを備えたヘッドセット装置に関する。
【背景技術】
【０００２】
近年、ハンズフリーで電話の応答ができるようにマイクロホンを備えたヘッドセット装置が開発されている。この種のヘッドセット装置として、特許文献１の図２に示されるように、イヤーパッド部からフレキシブルチューブが装着者の口元に伸びて取り付けられ、そのフレキシブルチューブの先端にマイクロホンを取り付けるタイプがある。
【０００３】
また、特許文献２に示されるように、マイクロホンの非使用時にそのフレキシブルチューブをイヤーパッド部に収納できるようにしたものもある。
【特許文献１】特開２０００−５０３７９公報（図２）
【特許文献２】特開２００３−１８８９６７公報（図１、図２）
【発明の開示】
【発明が解決しようとする課題】
【０００４】
特許文献１のヘッドセット装置のスタイルは、いずれもイヤーパッド部からスティック状のチューブが口元に延伸して突起するタイプであり、非使用時の安全性や利便性への配慮が欠けると共に、デザイン性にも劣るという問題がある。これに対して特許文献２のものは、非使用時にチューブを収納することができるため安全性の点では特許文献１より優れていると言える。
【０００５】
しかしながら、特許文献２のように、チューブをイヤーパッドに収納する場合、イヤーパッド部にその収納部分を形成する必要があり、イヤーパッド部の外形が大きくなるか、或いはそのための複雑な構成が必要となってしまい、装着感、コスト、デザイン性といった点で課題が残されてしまう。
【０００６】
そこで、本発明は、大型化、複雑化させることなく安全性、利便性およびデザイン性に優れたヘッドセット装置の提供を目的とする。
【課題を解決するための手段】
【０００７】
上記目的を達成するために、請求項１に係る発明では、装着者の耳殻部分に装着されるイヤーパッド部と、そのイヤーパッド部に設けられるスピーカーと、
装着者の頭頂部を覆うように設けられ、イヤーパッド部に対して回動自在なヘッドバンド部と、このヘッドバンド部に一体で取り付けられ、装着者よりの音声等の外部音声を入力するマイクロホンと、遠隔にある所定の外部機器との間でアンテナを介してデータ通信を行う無線部と、マイクロホン或いは無線部よりの受信データをＡ／Ｄ変換或いはＤ／Ａ変換するためのコーデック部と、を備え、マイクロホンは、ヘッドバンド部が回動することにより当該装着者の少なくとも頭頂部および口元付近の前顎部に位置することを特徴とするヘッドセット装置を提供する。
【発明の効果】
【０００８】
本発明によれば、大型化、複雑化させることなく安全性、利便性およびデザイン性に優れたヘッドセット装置を提供することができる。
【発明を実施するための最良の形態】
【０００９】
以下に本発明の実施の形態を、図面に基づいて説明する。
図１乃至図３は、本実施形態のヘッドセット装置の全体構成を示している。
このヘッドセット装置１は、装着者２の両耳殻部分に被うように取り付けられるイヤーパッド部３と、装着者２の頭頂部を被うようにイヤーパッド部３に対して回動自在に取り付けられたヘッドバンド部４と、このヘッドバンド部４に一体で内臓され、装着者２よりの音声や、外部音声等を入力するためのマイクロホン５と、イヤーパッド部３に設けられ、マイクロホン５からの音声を録音するモードに切り替えるための録音ボタン６ａと、録音したデータを再生させる再生ボタン６ｂと、リモコンモードに切り替えるリモコンボタン６ｃと、ヘッドバンド部４に設けられ、マイクロホン５が装着者に対して内向き（装着者２の身体側）かその逆の外向きかを検出するための位置検出器（近接センサ）７と、同じくヘッドバンド部４に設けられてヘッドバンド部４の回動位置を検出するための位置検出器（近接センサ）８と、イヤーパッド部３に内蔵するように設けられ、位置検出器７，８、各種ボタン６ａ，６ｂ，６ｃおよびマイクロホン５等からの入力信号を受信してヘッドセット装置１の全体の制御を司る制御装置９とから構成されている。
【００１０】
ヘッドバンド部４に設けられたマイクロホン５は、図３に示されるような装着者２に対向する内向き位置と、図２に示されるような外向き位置となるように、ヘッドバンド部４に対して図１に示すように回動自在に取り付けられており、内向き位置か外向き位置かが位置検出器７によって検出される。
【００１１】
また、ヘッドバンド部４は、図３に示すようにイヤーパッド部３に対して回動自在に取り付けられており、装着者２の頭頂部の位置と口元付近の前顎部の位置をとることができ、位置検出器８はヘッドバンド部４が前顎部に位置しているか否かを検出する。
【００１２】
図４は制御装置９の構成を示すブロック図である。制御装置９は、外部機器との無線通信をアンテナ１０を介して行うための無線部１１と、マイクロホン５および無線部１１よりの音声やデータをＡ／Ｄ変換或いはＤ／Ａ変換するためのＣｏｄｅｃ（コーデック）１２と、コーデック１２よりの音声出力をスピーカー１３に出力させるためのアンプ１４と、位置検出器７および８等よりの各種信号に基づいてデータの送受信や保存等の制御を司るＣＰＵ１５と、音声データ等を記憶するメモリ１６、および音声認識を行うための音声認識辞書データを記憶する音声認識辞書メモリ１７とを備えている。
【００１３】
次に、本実施形態のヘッドセット装置１の動作について説明する。
まず、ヘッドセット装置１のヘッドバンド部４の位置が装着者２の頭頂部に位置している場合、つまり位置検出器８によりヘッドバンド部４が前顎部に位置していないことが検出されている場合、アンテナ１０により受信した所定の外部機器よりの音楽データ等は無線部１１、コーデック１２、アンプ１４を介してイヤーパッド部３に取り付けられたスピーカー１３より出力され、装着者２は音楽等を聴くことができる。
【００１４】
また、装着者２が録音ボタン６ａを押した場合には録音モードとなり、マイクロホン５から入力された音声のみが有効となってスピーカー５から出力されるとともにメモリ１６に保存される。この時、マイクロホン５に入力される音声の周波数帯を２０〜３５００Ｈｚに限定しているため、周囲音の人間の声のみをひろって聴き、かつ録音することができる。また、図２に示すようにマイクロホン５を頭頂部に位置させ、外向きに回動させておくことで、周囲３６０°方向をカバーでき、どの方向から入ってくる音声も良好に収集することができる。この録音された音声データを聴く場合には、再生ボタン６ｂを押すことでメモリ１６から録音データが読み出されてスピーカ５より録音された音声が再生される。
【００１５】
次に、例えば携帯電話機に搭載されたBlutooth（商標）等の無線通信部より着信を知らせる着信データがアンテナ１０、無線部１１、コーデック１２を介してスピーカ１３より聴こえ、装着者２が携帯電話機にてハンズフリー応答する場合について説明する。まず着信データに気付いた装着者２は、ヘッドバンド部４を前顎部へ位置させ、かつマイクロホン５を内向きにする。すると、それぞれの位置検出器７，８の位置検出信号に基づいて、ＣＰＵ１５はマイクロホン５からの音声入力を有効とすると共に、無線部１１は予め登録された携帯電話機の無線通信部よりの音声データを優先的に受け付け、所定の外部機器からの音楽データは受け付けない。この状態で、装着者２が携帯電話機を通話状態にすると、ヘッドセット装置１の無線部１１と携帯電話機の無線通信部間で音声データの無線通信が確立し、装着者２はマイクロホン５およびスピーカー１３を介してハンズフリーの通話が可能となる。この時録音ボタン６ａが押されると、会話の内容がメモリ１６に保存される。
【００１６】
さらに、ヘッドセット装置１を利用して外部機器を遠隔操作する場合について説明する。
まず装着者２は、ヘッドバンド部４を前顎部へ位置させ、かつマイクロホン５を内向きにし、リモコンボタン６ｃを押す。すると、マイクロホン５からの音声入力が受け付けられる。この音声入力された音声データのパターンと、音声認識辞書メモリ１７に記憶された音声認識パターンとを比較して音声認識を行い、所定の命令を無線部１１、アンテナ１０を介して外部機器、例えばビデオ機器等に送信する。辞書メモリ１７には、「再生」、「停止」、「早送り」等の音声認識パターンが用意記憶され、これらに相当する外部機器送信用の命令コードが対応して記憶されている。
【００１７】
以上本実施の形態によれば、マイクロホン５がヘッドバンド部４に一体に取り付けられ、かつヘッドバンド部４がイヤーパッド部３に対して回動し、マイクロホン５が装着者２の頭頂部と前顎部に位置させることができるので、機能やデザイン性、かつ安全性に優れたヘッドセット装置を提供することができる。また、マイクロホン５自体がヘッドバンド部４に対して回動自在に取り付けられているので、周囲音を録音する場合には頭頂部に外向きで位置させることで良好な録音特性を得ることができる。また、前顎部に内向きで位置させることで、装着者２の音声を正確に入力できるとともに、良好に録音させることも可能となる。
【００１８】
さらに、ヘッドバンド部４を前顎部へ位置させ、かつマイクロホン５を内向きにすることで携帯電話機との通話が優先されるため、音楽を聴いているときに携帯電話機へ応答する場合には速やかに応答することができるとともに、ハンズフリーでの通話が可能となる。さらに録音することも可能となり、利便性の極めて高いヘッドセット装置を提供することができる。
【００１９】
またさらに、リモコンボタン６ｃを設け、装着者２よりの音声指示を音声認識機能を用いて外部機器に与えることができるので、ヘッドセット装置１を用いて映画等コンテンツを視聴しながらビデオ機器を操作することもでき、さらに利便性の高いヘッドセット装置を提供することができる。
【００２０】
次に、本実施の形態の変形例について図５を用いて説明する。
この変形例では、先の実施形態で示したヘッドセット装置１のヘッドバンド部４に、映像データを表示する表示器２０が取り付けられており、その他の構成は図１の構成と変わらないものである。
【００２１】
この変形例によれば、ハンズフリーテレビ電話や、音声を聞きながらの動画像の鑑賞を行うことができる。
【図面の簡単な説明】
【００２２】
【図１】本発明の実施の形態に係るヘッドセット装置を示す斜視図。
【図２】図１に示されたヘッドセット装置を装着者に装着させた状態を示す斜視図。
【図３】図１に示されたヘッドセット装置を装着者に装着させた状態を示す斜視図。
【図４】図１に示されたヘッドセット装置の制御装置を示すブロック図。
【図５】図１に示されたヘッドセット装置の変形例を示す斜視図。
【符号の説明】
【００２３】
１...ヘッドセット装置、２...装着者、３...イヤーパッド部、４...ヘッドバンド部、５...マイクロホン、６ａ...録音ボタン、６ｂ...再生ボタン、６ｃ...リモコンボタン、７...位置検出器、８...位置検出器、９...制御装置、１０．．．アンテナ、１１...無線部、１２...コーデック、１３...スピーカー、１５...スピーカー、１６...メモリ、１７...音声認識辞書メモリ、２０...表示器
【図１】
2005229527.tif 000003
【図２】
2005229527.tif 000004
【図３】
2005229527.tif 000005
【図４】
2005229527.tif 000006
【図５】
2005229527.tif 000007